(57)【要約】      （修正有）【課題】使用者がキャップを取外すのを容易に阻止することができると共に、構造を知る者が着脱操作を容易に行うことを可能にするキャップの着脱構造を提供する。【解決手段】容器本体１３の口首部１４を覆って着脱可能に装着されるノズル付キャップ１２の着脱構造であって、口首部１４の外周面に形成された、口首部１４の上端縁部の切込み開始部１５から切込まれて周方向に延設すると共に複数の折返し部１６を有する折返し案内溝１７と、ノズル付キャップ１２の内周面に突出して設けられた、折返し案内溝１７に沿って遊嵌移動すると共に折返し案内溝１７の終端部１９に係止されるスライド係合リブ２０とからなり、且つスライド係合リブの折返し案内溝１７の終端部１９における係止状態からの開放操作が、ノズル付キャップ１２の右回転によって開始されるように、折返し案内溝１７が形成されている。【選択図】図１
2008302978.tif 000002
【特許請求の範囲】
【請求項１】
容器本体の口首部を覆って着脱可能に装着されるキャップの着脱構造であって、
前記口首部の外周面又は前記キャップの内周面のいずれか一方に形成された、前記口首部の上端縁部又は前記キャップの下端縁部の切込み開始部から切込まれて周方向に延設すると共に複数の折返し部を有する折返し案内溝と、前記口首部の外周面又は前記キャップの内周面の他方に突出して設けられた、前記折返し案内溝に沿って遊嵌移動すると共に前記折返し案内溝の終端部に係止されるスライド係合リブとからなり、
且つ前記スライド係合リブの前記終端部における係止状態からの開放操作が前記キャップの右回転によって開始されるように、前記折返し案内溝が形成されているキャップの着脱構造。
【請求項２】
前記折返し案内溝は、前記キャップの装着時に、前記切込み開始部から最初に左回転で前記スライド係合リブを遊嵌移動させるように形成されている請求項１記載のキャップの着脱構造。
【請求項３】
前記スライド係合リブが係止される前記折返し案内溝の終端部は、前記切込み開始部の直下部分又は直上部分に配置されている請求項１又は２に記載のキャップの着脱構造。
【請求項４】
前記キャップは、吐出ノズル付キャップであり、前記切込み開始部又は前記スライド係合リブは、吐出ノズルの吐出方向に配置されている請求項１〜３のいずれかに記載のキャップの着脱構造。
【発明の詳細な説明】
【技術分野】
【０００１】
本発明は、キャップの着脱構造に関し、特に、容器本体の口首部を覆って着脱可能に装着されるキャップの着脱構造に関する。
【背景技術】
【０００２】
例えば液体石鹸や液体化粧料等を収容した合成樹脂からなるボトル状の液収容容器は、容器本体の口首部を覆ってキャップが装着されるものが一般的であり、このようなキャップには、内容液を、液状、噴霧状、泡状のものとしてスムーズに吐出させることができるように、吐出ノズルが取付けられている場合が多い。吐出ノズルが取付けられたキャップは、使用により減少した内溶液を液収容容器の容器本体に補充したり詰替えたりする際に、キャップを取外した後に再度装着し直す必要があり、このようにキャップを着脱する構造としては、スクリューネジによる着脱構造が採用されている。
【０００３】
一方、例えばホテルの客室や、化粧室、浴場等に備え付けられる液収容容器は、不特定多数の者が当該容器を使用することになるため、誰でも簡単に着脱操作を行うことのできるスクリューネジによるキャップの着脱構造では、悪戯等によって内溶液が改ざんされるといった不安が生じる場合がある。また内溶液を使用する者にとっても、手慣れた操作でキャップを容易に取外し得ることを知ると、改ざんへの疑いを生じて内溶液をかえって使用しづらくなる場合がある。
【０００４】
これに対し、単にキャップを一方向にねじ回すだけの操作では開栓できないようにして、例えば幼児が簡単に開栓して容器内の薬液等を不用意に服用するのを防止できるようにした施栓構造が開示されている（例えば、特許文献１、特許文献２参照）。この施栓構造は、容器の首部またはキャップの内壁面に、ジグザク状に連続する往復ねじ溝を刻設すると共に、容器の首部またはキャップの内壁面に、往復ねじ溝に摺動可能に係合する係合子を突設することによって構成されており、正転、逆転の操作を繰返すことによって、はじめて開栓できるようにしたものである。
【特許文献１】実開昭４９−３１７４８号公報
【特許文献２】実開昭４９−３１７４９号公報
【発明の開示】
【発明が解決しようとする課題】
【０００５】
しかしながら、上記従来の施栓構造によれば、キャップを取外す際に、ジグザク状の最初の折返し部に係合子が移動するまでは、一般のスクリューネジによるキャップの左回転による開栓操作と同じ動作になるため、特に内溶液の使用者にとっては、改ざんへの疑いを拭い去れない場合がある。また幼児と異なり、例えば大きくなった子供や成人した大人にとっては、学習効果によって、キャップを容易に取外すことができるようになることも考えられる。
【０００６】
また、このようなキャップの着脱による内溶液の改ざんを確実に防止するには、着脱構造を複雑にして、キャップを取外すことができないようにすることも考えられるが、複雑な着脱構造は、コストが高くなると共に、着脱操作が煩雑になって、特にホテルの客室や、化粧室、浴場等に備え付けられる液収容容器の場合は、従業員や清掃員が例えば数時間〜数日おきに頻繁に内溶液を補充したり詰替えたりする必要が生じるため、これらの作業に多くの手間を要することになる。
【０００７】
本発明は、使用者がキャップを取外すのを簡易な構成によって容易に阻止することができると共に、構造を知る者が着脱操作を容易に行うことを可能にするキャップの着脱構造を提供することを目的とする。
【課題を解決するための手段】
【０００８】
本発明は、容器本体の口首部を覆って着脱可能に装着されるキャップの着脱構造であって、前記口首部の外周面又は前記キャップの内周面のいずれか一方に形成された、前記口首部の上端縁部又は前記キャップの下端縁部の切込み開始部から切込まれて周方向に延設すると共に複数の折返し部を有する折返し案内溝と、前記口首部の外周面又は前記キャップの内周面の他方に突出して設けられた、前記折返し案内溝に沿って遊嵌移動すると共に前記折返し案内溝の終端部に係止されるスライド係合リブとからなり、且つ前記スライド係合リブの前記終端部における係止状態からの開放操作が前記キャップの右回転によって開始されるように、前記折返し案内溝が形成されているキャップの着脱構造を提供することにより、上記目的を達成したものである。
【０００９】
ここで、上記記載において、口首部の上端縁部又はキャップの下端縁部の切込み開始部から切込まれて周方向に延設する折返し案内溝は、キャップの円筒部分の中心軸と垂直な面に沿った周方向に延設している必要は必ずしもなく、キャップの円筒部分の中心軸と垂直な面に対して斜めに傾斜してジグザグ状に折り返しながら周方向に延設している場合も含まれる。
【発明の効果】
【００１０】
本発明のキャップの着脱構造によれば、使用者がキャップを取外すのを簡易な構成によって容易に阻止することができると共に、構造を知る者が着脱操作を容易に行うことを可能にすることができる。
【発明を実施するための最良の形態】
【００１１】
本発明の好ましい第１実施形態に係るキャップの着脱構造は、図１に示すように、液収容容器として、例えば液体化粧料を収容した合成樹脂製の容器である、いわゆるポンプフォ−マー１０に、ポンプノズル１１が取付けられたノズル付キャップ１２を着脱可能に装着する際の着脱構造として採用されたものである。すなわち、ポンプフォ−マー１０は、合成樹脂製のボトル状の液収容容器であって、例えばホテルの各客室に備え付けて用いられ、宿泊客が、ポンプノズル１１を介して収容された液体化粧料を泡状にして吐出しつつ使用するものである。また、例えば、宿泊客がチェックアウトした後に、ホテルの従業員や清掃員が、使用により減少した液体化粧料をノズル付キャップ１２を着脱しながら頻繁に補充しつつ、長期に亘って用いることができるようになっている。
【００１２】
そして、本第１実施形態のキャップの着脱構造は、ポンプフォ−マー１０を構成する容器本体１３の口首部１４を覆って着脱可能に装着されるノズル付キャップ１２を、宿泊客が容易に取外すことができないようにすると共に、ホテルの従業員等が減少した液体化粧料を繰返し容易に補充することができるようにするための着脱構造であって、図２（ａ），（ｂ）及び図３（ａ），（ｂ）にも示すように、口首部１４の外周面に形成された、当該口首部１４の上端縁部の切込み開始部１５から切込まれて周方向に延設すると共に複数の折返し部１６を有する折返し案内溝１７と、ノズル付キャップ１２のキャップ部１８の内周面に突出して設けられた、折返し案内溝１７に沿って遊嵌移動すると共に折返し案内溝１７の終端部１９に係止されるスライド係合リブ２０（図３（ａ），（ｂ）参照）とからなり、且つスライド係合リブ２０の終端部１９における係止状態からの開放操作がノズル付キャップ１２の右回転によって開始されるように、折返し案内溝１７が形成されている。
【００１３】
また、本第１実施形態によれば、折返し案内溝１７は、ノズル付キャップ１２の装着時に、切込み開始部１５から最初に左回転でスライド係合リブ２０を遊嵌移動させるように形成されている。
【００１４】
さらに、本第１実施形態によれば、スライド係合リブ２０が係止される折返し案内溝１７の終端部１９は、切込み開始部１５の直下部分に配置されている。
【００１５】
本第１実施形態によれば、容器本体１３は、合成樹脂から形成される中空ボトル状の収容部であって、内部に液体化粧料が収容されると共に、その肩部から胴部にかけた外周形状は滑らに湾曲する凹凸面となっていることにより、ホテルの客室内に備え付けられる備品としての意匠性を向上させている。また容器本体１３の正面側の胴部外周面には、装飾を兼ねた識別表示面２１がシルク印刷等によって印字可能なように設けられており、例えば収容された液体化粧料の種類や、ポンプノズル１１の押下げノズル２９を指向させる正面側を、容易に判別させることができるようになっている。
【００１６】
容器本体１３の上端部には、その肩部から上方に突出して、円筒形状の口首部１４が一体成形されて設けられており、この口首部１４の先端開口を介して、液体化粧料を容器本体１３の内部に出し入れできるようになっている。また口首部１４の外周面には、互いに１８０度ずれることにより容器本体１３の前後に配置された、後述する一対の折返し案内溝１７が形成されており（図２（ａ），（ｂ）参照）、これらの折返し案内溝１７に沿って、後述する一対のスライド係合リブ２０が各々遊嵌移動することになる。
【００１７】
ノズル付キャップ１２は、口首部１４の外径と略同一の内径を有する円筒形状の主装着部２３、及びマウンド部２４を介して大径の主装着部２３の中央から同心状に上方に突出する小径の円筒形状のノズル案内部２５からなるキャップ部１８と、キャップ部１８に一体として装着されるポンプノズル１１とによって構成されている。
【００１８】
また、図３（ａ），（ｂ）に示すように、キャップ部１８の主装着部２３の内周面には、互いに１８０度ずれた対向する位置に、スライド係合リブ２０が内方に突出して設けられており、ノズル案内部２５の内周面には、例えば３０度毎の等角度間隔をおいて平行に並べて配置された１２本の縦リブ２６が、内方に突出して設けられている。さらに、本実施形態によれば、キャップ部１８のノズル案内部２５の外周面には、外方に向けて凸形状（縦リブ）となるマーキング２７が施されている。
【００１９】
さらにまた、本第１実施形態によれば、円筒形状の主装着部２３は、図３（ｃ）にも示すように、上端がマウンド部２４の周縁部分に接合される外側筒部２３ａ及び内側筒部２３ｂの間に隙間３３を介在させた２重構造を有しており、隙間３３によって偏った荷重を吸収しながら、スライド係合リブ２０を折返し案内溝１７に沿って移動させつつ、キャップ部１８が、容器本体１３の口首部１４を覆って着脱可能に装着されることになる。また外側筒部２３ａと内側筒部２３ｂとの間の隙間３３には、各スライド係合リブ２０の背面及びこれらの間の２箇所の中間部分において、補強リブ３４が９０度ピッチで合計４箇所に形成されており、これによって２重構造の主装着部２３を効果的に補強している。
【００２０】
キャップ部１８に装着されるポンプノズル１１は、図１に示すように、ポンプディスペンサー２８と、ポンプディスペンサー２８のステム状の上端摺動部（図示せず）に装着される押下げノズル２９とからなる。
【００２１】
ポンプディスペンサー２８は、容器本体１３に収容された液体化粧料を、汲上げパイプ３０（図４参照）を介して汲み上げつつ空気と混合することにより、泡状の状態で吐出させることが可能な装置として公知のものであり、内部に設けられたバネ部材の付勢力に抗して、押下げノズル２９を介して上端摺動部を押し下げることにより、液体化粧料を押下げノズル２９の吐出口３１に給送し、横方向を向いた当該吐出口３１から泡状にして吐出させて、液体化粧料を使用できるようにするものである。
【００２２】
また、押下げノズル２９は、吐出口３１が設けられたノズル本体部２９ａと、ノズル本体部２９ａと同心状に設けられると共に、これの下方に突出する円筒形状のステム装着部２９ｂとからなり、ステム装着部２９ｂを介してポンプディスペンサー２８の上端摺動部に装着されることにより、押下げノズル２９の押圧操作によって、上端摺動部をスムーズに押し下げることができるようになっている。
【００２３】
なお、ステム装着部２９ｂには、吐出口３１の吐出方向前方及び後方の前後に配置されて、位置決めリブ２９ｃが突出して設けられている。これらの前後一対の位置決めリブ２９ｃを、ノズル案内部２５の内周面に設けられた１２本の縦リブ２６間の縦溝に選択的に遊嵌させつつポンプノズル１１をキャップ部１８に装着することにより、吐出口３１をキャップ部１８に対して任意の方向に向かせた状態に容易に保持することが可能になる。これによって押下げノズル２９の吐出口３１を、キャップ部１８のスライド係合リブ２０が設けられた位置（方向）に容易に位置決めできるようになっている。
【００２４】
また、押下げノズル２９は、ノズル案内部２５の内周面に設けられた１２本の縦リブ２６間の縦溝に位置決めリブ２９ｃを遊嵌させて位置決めされることにより、キャップ部１８に対する相対的な回転力がポンプノズル１１に過度に負荷された場合に、位置決めリブ２９ｃが縦リブ２６を乗越えるようにしつつ、押下げノズル２９をキャップ部１８に対してスライド回転させることが可能になる。これによってポンプノズル１１の破損を効果的に回避することが可能になると共に、押下げノズル２９がキャップ部１８に対して回転方向にずれた場合でも、このような位置ずれを容易に修復することが可能になる。
【００２５】
さらに、押下げノズル２９は、ノズル本体部２９ａの内周面がキャップ部１８のノズル案内部２５の外周面に沿って、ステム装着部２９ｂの外周面がキャップ部１８のノズル案内部２５の内周面に沿って、各々上下にスライド移動することになり、したがって押下げノズル２９は、ノズル案内部２５に案内されつつ、安定した状態で押圧操作されることになる。
【００２６】
本第１実施形態によれば、キャップの着脱構造を構成する折返し案内溝１７は、図２（ａ），（ｂ）に示すように、口首部１４の外周面から例えば１．５〜１．７ｍｍ程度の深さで凹むように形成されると共に、容器本体１３の前後に配置されて、口首部１４の外周面に一対設けられるものであり、各折返し案内溝１７は、口首部１４の上端縁部から、例えば７〜９ｍｍ程度の幅で縦方向に切込むように形成された切込み開始部１５を始点部分として、垂直右側に折れ曲がって例えば７０〜９０度程度の角度範囲で周方向右側に延設する。そして、一段目の折返し部１６に至った後、当該矩形形状の折返し部１６を介して１８０度クランク状に折返しながら方向転換して、周方向左側に例えば１２０〜１４０度程度の角度範囲で延設する。さらに、二段目の折返し部１６に至った後、当該矩形形状の折返し部１６を介して１８０度クランク状に折返しながら方向転換して、周方向右側に例えば７０〜９０度程度の角度範囲で延設することにより、終端部１９が切込み開始部１５の直下部分に配置された状態で、各折返し案内溝１７が形成されることになる。
【００２７】
また、本第１実施形態によれば、各折返し案内溝１７の終端部１９には、切込み開始部１５の幅に相当する長さを残した部分に、円弧状断面を有する乗上係止リブ３２が折返し案内溝１７と交差して設けられており、この乗上係止リブ３２を乗越えさせて、スライド係合リブ２０を折返し案内溝１７の終端部１９に係合係止することにより、容器本体１３の口首部１４を覆ってノズル付キャップ１２が装着された状態を強固に保持することができると共に、このような装着状態を実感できるようになっている。
【００２８】
キャップの着脱構造を構成するスライド係合リブ２０は、図３（ａ），（ｂ）に示すように、キャップ部１８の主装着部２３の内周面から、口首部１４に形成された折返し案内溝１７の深さに相当する例えば１．５〜１．７ｍｍ程度の段差となるように突出して、互いに対向する位置に一対設けられている。スライド係合リブ２０は、切込み開始部１５の幅より僅かに小さな幅を有する横長矩形の正面形状を有しており、ノズル付キャップ１２の装着時に、切込み開始部１５に上方から容易に挿入配置することができると共に、折返し案内溝１７に沿って左右に往復しながらスムーズに遊嵌移動させることができ、また折返し案内溝１７の終端部１９において乗上係止リブ３２を乗越えさせて、当該終端部１９に容易に係止することができるようになっている。
【００２９】
上述の構成を有する本第１実施形態の着脱構造によれば、ノズル付キャップ１２を容器本体１３の口首部１４を覆って装着する際には、まず図３及び図４に示すように、押下げノズル部２９の吐出口３１が、マーキング２７によって明示されている一方のスライド係合リブ２０が設けられた方向を向くようにして、ポンプノズル１１をキャップ部１８にセットする。次に、図１に示すように、吐出口３１の方向と合致させたマーキング２７を、容器本体１３の正面側に設けられた折返し案内溝１７の切込み開始部１５に位置合わせしつつ、前後の各スライド係合リブ２０を前後の折返し案内溝１７の各切込み開始部１５に各々挿入配置する。
【００３０】
しかる後に、ノズル付キャップ１２のキャップ部１８を、通常のスクリューキャップの装着時とは逆方向の、左回転で回動させることにより、スライド係合リブ２０を折返し案内溝１７に沿って一段目の折返し部１６まで遊嵌移動させる。スライド係合リブ２０が一段目の折返し部１６の右側の端縁部でストップしたら、当該折返し部１６に沿ってスライド係合リブ２０を下方に移動させる様にノズル付キャップ１２を押し下げ、キャップ部１８を右回転で回動させることにより、スライド係合リブ２０を折返し案内溝１７に沿って二段目の折返し部１６まで遊嵌移動させる。
【００３１】
スライド係合リブ２０が二段目の折返し部１６の左側の端縁部でストップしたら、さらに、当該折返し部１６に沿ってスライド係合リブ２０を下方に移動させる様にノズル付キャップ１２を押し下げ、キャップ部１８を左回転で回動させることにより、乗上係止リブ３２を乗越えさせて、スライド係合リブ２０を折返し案内溝１７の終端部１９に係合係止する。スライド係合リブ２０の係止によって、キャップ部１８の締込みが確認されることになると共に、折返し案内溝１７の終端部１９は、マーキング２７を介して位置合わせされた切込み開始部１５の直下に位置しているので、かかる係止状態では、押下げノズル部２９の吐出口３１は、容器本体１３の正面側を確実に指向することになる。
【００３２】
一方、装着されたノズル付キャップ１２を容器本体１３の口首部１４から取外す際には、スライド係合リブ２０が折返し案内溝１７の終端部１９に係止されている状態からの開放操作を、通常のスクリューキャップの開放操作時とは逆方向である右回転にキャップ部１８を回動させて、スライド係合リブ２０が乗上係止リブ３２を乗越えるようにすることによって行う。
【００３３】
しかる後に、ノズル付キャップ１２の装着時とは反対に、キャップ部１８を右回転で回動させることによりスライド係合リブ２０を二段目の折返し部１６まで遊嵌移動させ、次にキャップ部１８を左回転で回動させることによりスライド係合リブ２０を一段目の折返し部１６まで遊嵌移動させ、さらにキャップ部１８を右回転で回動させることによりスライド係合リブ２０を切込み開始部１５まで移動させることにより、ノズル付キャップ１２を容器本体１３の口首部１４から容易に取り外すことが可能になる。
【００３４】
そして、本第１実施形態のキャップの着脱構造によれば、液体化粧料の使用者がキャップを取外すのを簡易な構成によって容易に阻止することができると共に、構造を知る者が着脱操作を容易に行うことが可能になる。すなわち、本第１実施形態によれば、スライド係合リブ２０の折返し案内溝１７の終端部１９における係止状態からの開放操作が、通常のスクリューキャップの開放操作とは反対の、キャップ部１８の右回転によって開始されるように折返し案内溝１７が形成されており、且つ折返し案内溝１７は、二段の折返し部１６を介して左右に繰返し折返すように形成されているので、使用者をして通常の開放操作ではノズル付キャップ１２を取外せないことを容易に知らしめることが可能になり、使用者にキャップ１２を取外すのを諦めさせて、液体化粧料の改ざんを効果的に回避することが可能になる。またこれによって、使用者は、改ざんへの疑いを生じることなく、液体化粧料を快適に使用することが可能になる。
【００３５】
さらに、本第１実施形態によれば、着脱構造を構成する折返し案内溝１７は、折返し部１６を介して複数の箇所で折返すだけの簡単な構造となっているので、その構造を知る者は、着脱操作を容易に知得することが可能になり、例えば従業員や清掃員に予めこのような着脱構造を教育しておくことにより、容器本体１３に液体化粧料を補充したり詰替えたりする作業を、多くの手間を要することなく容易に行うことが可能になる。
【００３６】
図５及び図６は、本発明の第２実施形態の着脱構造を構成する容器本体４０及びこれの口首部４１を示すものであり、この容器本体４０の口首部４１に上記第１実施形態のノズル付キャップ１２と同様のノズル付キャップが装着固定されて、ポンプフォ−マーが形成されることになる。
【００３７】
そして、本第２実施形態によれば、容器本体４０は、合成樹脂から形成される中空ボトル状の収容部であって、上記第１実施形態の容器本体１３と略同様に、その肩部から胴部にかけた外周形状は滑らに湾曲する凹凸面となっていることにより、ホテルの客室内に備え付けられる備品としての意匠性を向上させている。また容器本体４０の上端部には、その肩部から上方に突出して、円筒形状の口首部４１が一体成形されて設けられている。さらに、口首部４１の外周面には、互いに１８０度ずれることにより容器本体４０の前後に配置された、一対の折返し案内溝４２が形成されており、これらの折返し案内溝４２に沿って、ノズル付キャップのキャップ部の内周面から突出して設けられた一対のスライド係合リブが、各々遊嵌移動することになる。
【００３８】
また、口首部４１の外周面に形成されて、本第２実施形態のキャップの着脱構造を構成する折返し案内溝４２は、上記第１実施形態の折返し案内溝１７と同様に、口首部４１の上端縁部から、例えば７〜９ｍｍ程度の幅で縦方向に切込むように形成された切込み開始部４３を始点部分として、垂直右側に折れ曲がって周方向右側に延設し、一段目の折返し部４４に至った後、当該折返し部４４を介して１８０度クランク状に折返しながら方向転換して、周方向左側に延設する。さらに、二段目の折返し部４４に至った後、当該折返し部４４を介して１８０度クランク状に折返しながら方向転換して、周方向右側に延設することにより、終端部４５が切込み開始部４３の直下部分に配置された状態で、折返し案内溝４２が形成されると共に、折返し案内溝４２の終端部４５には、切込み開始部４３の幅に相当する長さを残した部分に、乗上係止リブ４６が折返し案内溝４２と交差して設けられる。
【００３９】
さらに、本第２実施形態によれば、二段目の折返し部４４から終端部４５に向けて折り返す部分の折返し案内溝４２の上辺部分が、第１テーパー部４７として斜めに切り欠かれて延設していると共に、当該第１テーパー部４７の折返し部４４側の端部は、相当の幅で縦方向に切り欠かれて延設する垂直壁部４８の下端部と接続している。またこれに伴って、二段目の折返し部４４に向かう折り返し開始部分の折返し案内溝４２の下辺部分が、第２テーパー部４９として斜めに盛り上がるようにして延設し、その折返し部４４側の端部は、垂直壁部４８の上端部と接続している。さらにまた、一段目の折返し部４４から二段目の折返し部４４に向かう折返し案内溝４２の上辺部分の略中央部分には、二段目の折返し部４４に向かって上方に傾斜する第３テーパー部５０が介在して設けられており、この第３テーパー部５０を介在させることによって、第２テーパー部４９によって狭められる折返し案内溝４２の幅を、相当の幅に保持できるようになっている。
【００４０】
そして、本第２実施形態のキャップの着脱構造によれば、上記第１実施形態の着脱構造と同様の作用効果を奏すると共に、折返し案内溝４２の二段目の折返し部４４から終端部４５に向けて折り返す部分の上辺部分に、第１テーパー部４７が設けられていることにより、例えば製造装置によってポンプフォ−マーを製品化する工程において、キャッパーによってノズル付キャップを把持しつつ、これを徐々に押し下げるようにしながら回転させてノズル付キャップを容器本体４０の口首部４１に自動装着してゆく際に、スライド係合リブが第１テーパー部４７に乗り上がることによるトルクの変化を検知して、スライド係合リブが終端部４５に近づいたことを容易に知ることができ、これによってポンプフォ−マーの製造時におけるトルク制御を容易に行うことが可能になる。
【００４１】
また、第１テーパー部４７の折返し部４４側の端部に垂直壁部４８が設けられていることにより、ポンプフォ−マーが製品化された後、使用者がノズル付キャップの着脱操作を繰り返しつつ使用する際に、当該第１テーパー部４７が形成された部分にスライド係合リブが衝突して、この部分が破損しやすくなるのを効果的に回避することが可能になると共に、二段目の折返し部４４に向かう折り返し開始部分の下辺部分に第２テーパー部４９が設けられていることにより、使用者がノズル付キャップを押え付けながら容器本体４０の口首部４１に装着してゆく際に、第２テーパー部４９による盛り上がりを感じることによって、スライド係合リブが終端部４５に近づいたことを感知することが可能になる。
【００４２】
なお、本発明は上記各実施形態に限定されることなく種々の変更が可能である。例えば、折返し案内溝は、キャップの装着時に切込み開始部から最初に左回転でスライド係合リブを遊嵌移動させるように形成されている必要は必ずしもなく、またスライド係合リブが係止される折返し案内溝の終端部は、切込み開始部の直下部分に配置されている必要は必ずしもない。また、折返し案内溝をキャップの内周面に、スライド係合リブを口首部の外周面に設けて本発明のキャップの着脱構造とすることもでき、このような構造でノズルの方向合わせ等を必要とする場合には、キャップに形成される折返し案内溝の終端部を切込み開始部の直上部分に配置することもできる。
【００４３】
さらに、口首部に装着されるキャップは、ポンプ式の吐出ノズルの付いた吐出ノズル付キャップである必要は必ずしもなく、その他の構成の吐出ノズルや注出口を備えたキャップの他、吐出ノズルや注出口を有していないキャップであっても良い。さらにまた、口首部にキャップが装着される容器は、合成樹脂製のボトル容器である必要は必ずしもなく、またホテルの備品に限定されることなくその他の種々の場所で使用される容器であっても良い。収容される内容液は液体化粧料である必要は必ずしもなく、折返し部を２段以上設けることもできる。
【００４４】
また、上記実施形態において、スライド係合リブ２０が設けられた位置（方向）に対応させて、縦リブ状のマーキング２７を設けておけば、このマーキング２７を介して、ノズル付キャップ１２の装着時に、スライド係合リブ２０を折返し案内溝１７の切込み開始部１５に容易に位置決めすることが可能になる。
【図面の簡単な説明】
【００４５】
【図１】本発明の第１実施形態に係るキャップの着脱構造を採用した液収容容器の一例を示す正面図である。
【図２】（ａ）は折返し案内溝が形成された容器本体の口首部の正面図、（ｂ）は上面図である。
【図３】（ａ）は内周面にスライド係合リブが設けられたキャップ部の部分破断正面図、（ｂ）は底面図、（ｃ）は（ｂ）のＡ−Ａに沿った部分断面図である。
【図４】ノズル付キャップを斜め下方から視た斜視図である。
【図５】本発明の第２実施形態に係るキャップの着脱構造を採用した容器本体を示す正面図である。
【図６】本発明の第２実施形態に係るキャップの着脱構造を採用した容器本体の口首部を拡大して示す正面図である。
【符号の説明】
【００４６】
１０  ポンプフォ−マー（液収容容器）
１１  ポンプノズル
１２  ノズル付キャップ
１３，４０  容器本体
１４，４１  口首部
１５，４３  切込み開始部
１６，４４  折返し部
１７，４２  折返し案内溝
１８  キャップ部
１９，４５  折返し案内溝の終端部
２０  スライド係合リブ
２３  キャップ部の主装着部
２３ａ  外側筒部
２３ｂ  内側筒部
２５  キャップ部のノズル案内部
２６  縦リブ
２７  マーキング
２８  ポンプディスペンサー
２９  押下げノズル
３１  吐出口
３２，４６  乗上係止リブ
３３  隙間
３４  補強リブ
４７  第１テーパー部
４８  垂直壁部
４９  第２テーパー部
５０  第３テーパー部
【図１】
2008302978.tif 000003
【図２】
2008302978.tif 000004
【図３】
2008302978.tif 000005
【図４】
2008302978.tif 000006
【図５】
2008302978.tif 000007
【図６】
2008302978.tif 000008
【手続補正書】
【提出日】平成20年8月21日(2008.8.21)
【手続補正１】
【補正対象書類名】特許請求の範囲
【補正対象項目名】全文
【補正方法】変更
【補正の内容】
【特許請求の範囲】
【請求項１】
容器本体の口首部を覆って着脱可能に装着されるキャップの着脱構造であって、
前記口首部の外周面又は前記キャップの内周面のいずれか一方に形成された、前記口首部の上端縁部又は前記キャップの下端縁部の切込み開始部から切込まれて周方向に延設すると共に複数の折返し部を有する折返し案内溝と、前記口首部の外周面又は前記キャップの内周面の他方に突出して設けられた、前記折返し案内溝に沿って遊嵌移動すると共に前記折返し案内溝の終端部に係止されるスライド係合リブとからなり、
且つ前記スライド係合リブの前記終端部における係止状態からの開放操作が前記キャップの右回転によって開始されるように、前記折返し案内溝が形成されており、
前記折返し案内溝の前記終端部の直前の折返し部から終端部に向けて折り返す部分の上辺部分に、斜めに切り欠かれた第１テーバー部が延設していると共に、該第１テーパー部の折返し部側の端部は、当該端部が縦方向に切り欠かれて延設する垂直壁部の下端部と接続しているキャップの着脱構造。
【請求項２】
前記折返し案内溝の前記終端部の直前の折返し部に向う折り返し開始部分の下辺部分に、斜めに盛り上がる第２テーパー部が延設していると共に、該第２テーパー部の折返し部側の端部は、前記垂直壁部の上端部と接続している請求項１記載のキャップの着脱構造。
【請求項３】
前記折返し部は、１８０度クランク状に折返す折返し部である請求項１又は２記載のキャップの着脱構造。
【請求項４】
前記折返し案内溝は、前記キャップの装着時に、前記切込み開始部から最初に左回転で前記スライド係合リブを遊嵌移動させるように形成されている請求項１〜３のいずれかに記載のキャップの着脱構造。